【手続補正書】
【提出日】平成25年7月25日(2013.7.25)
【手続補正１】
【補正対象書類名】特許請求の範囲
【補正対象項目名】全文
【補正方法】変更
【補正の内容】
【特許請求の範囲】
【請求項１】
情報処理装置から発行される読み取り指示に従って画像を読み取り、読み取った画像データを前記情報処理装置に送信する画像読取装置であって、
情報処理装置を識別する識別情報を特定のキーに対応付けて登録する登録手段と、
前記特定のキーの操作を受け付ける受け付け手段と、
前記受け付け手段によって前記特定のキーの操作が受け付けられた場合に、当該特定のキーに前記識別情報が対応付けて登録されていれば、前記識別情報が示す情報処理装置に読み取り指示の発行依頼を送信し、当該特定のキーに前記識別情報が対応付けて登録されていなければ、情報処理装置を識別する識別情報を選択するための画面を表示するよう制御する制御手段と、
を有することを特徴とする画像読取装置。
【請求項２】
前記登録手段により登録された識別情報が示す情報処理装置と接続されているか否かを判定する判定手段を更に有し、
前記制御手段は、前記判定手段により前記登録された識別情報が示す情報処理装置と接続されていないと判定された場合に、情報処理装置を識別する識別情報を選択するための画面を表示することを特徴とする請求項１に記載の画像読取装置。
【請求項３】
前記制御手段は、前記判定手段により情報処理装置が複数接続されていると判定された場合に、情報処理装置を識別する識別情報を選択するための画面を表示することを特徴とする請求項２に記載の画像読取装置。
【請求項４】
前記制御手段は、前記画面を介して選択された情報処理装置に対して、前記読み取り指示の発行依頼を送信することを特徴とする請求項１乃至３のいずれか１項に記載の画像読取装置。
【請求項５】
前記登録手段は、前記画像読取装置と前記情報処理装置とを接続するインターフェースを特定するインターフェース情報を、前記特定のキーと対応づけて更に登録することを特徴とする請求項１乃至４のいずれか１項に記載の画像読取装置。
【請求項６】
前記インターフェース情報は、ＵＳＢインターフェースとネットワークインターフェースのいずれであるかを示す情報を少なくとも含むことを特徴とする請求項５に記載の画像読取装置。
【請求項７】
前記登録手段は、読み取りに関する設定を特定するための特定情報を、前記特定のキーと対応づけて更に登録することを特徴とする請求項１乃至６のいずれか１項に記載の画像読取装置。
【請求項８】
前記特定情報は、読み取り対象の原稿の種類、画像データを保存する際のファイルの種類、読み取り対象の原稿のサイズ、読み取る際の解像度、画像データの保存場所、画像データを保存する際のファイル名、の少なくとも１つを含むことを特徴とする請求項７に記載の画像読取装置。
【請求項９】
複数のキーを有する操作手段を更に有し、
前記登録手段は、前記識別情報と対応づけて登録する前記特定のキーを、前記操作手段の前記複数のキーの中から選択可能であることを特徴とする請求項１乃至８のいずれか１項に記載の画像読取装置。
【請求項１０】
情報処理装置から発行される読み取り指示に従って画像を読み取り、読み取った画像データを前記情報処理装置に送信する画像読取装置であって、
前記情報処理装置から、当該情報処理装置で設定された読み取りに関する設定を特定するための特定情報を受信する受信手段と、
前記受信手段で受信した前記特定情報と、前記特定情報を送信した情報処理装置を識別する識別情報とを特定のキーに対応付けて登録する登録手段と、
前記特定のキーの操作に応じて、当該特定のキーに対応付けて登録されている前記特定情報に従って前記識別情報が示す情報処理装置に読み取り指示の発行依頼を送信する送信手段と、
前記送信手段によって送信された前記読み取り指示の発行依頼に応答して前記情報処理装置から送信される読み取り指示に従って画像を読み取り、当該画像から得られた画像データを前記情報処理装置に送信する画像送信手段と、
を有することを特徴とする画像読取装置。
【請求項１１】
前記登録手段は、
前記特定のキーを選択し、当該特定のキーに対応する情報処理装置を選択する選択手段を有し、前記選択手段により選択された前記情報処理装置の識別情報と、当該選択された情報処理装置に対応する、前記特定情報とを、前記特定のキーに対応付けて登録することを特徴とする請求項１０に記載の画像読取装置。
【請求項１２】
前記特定のキーの操作に応じて、当該特定のキーに対応付けて登録されている前記特定情報に基づく表示を行う表示制御手段と、
前記表示制御手段による前記表示に対応する前記特定情報を変更する変更手段と、
前記変更手段により変更された特定情報により、前記登録手段に登録されている、対応する特定情報を更新する更新手段とを更に有することを特徴とする請求項１０は１１に記載の画像読取装置。
【請求項１３】
前記受信手段は前記情報処理装置と前記画像読取装置とを接続するインターフェースを特定するインターフェース情報を受信し、前記送信手段及び前記画像送信手段は、前記インターフェース情報により特定されたインターフェースを介して送信することを特徴とする請求項１０乃至１２のいずれか１項に記載の画像読取装置。
【請求項１４】
情報処理装置から発行される読み取り指示に従って画像を読み取り、読み取った画像データを前記情報処理装置に送信する画像読取装置の制御方法であって、
前記特定のキーの操作を受け付ける受け付け工程と、
前記受け付け工程において前記特定のキーの操作が受け付けられた場合に、情報処理装置を識別する識別情報が当該特定のキーに対応付けて登録されていれば、前記識別情報が示す情報処理装置に読み取り指示の発行依頼を送信し、前記識別情報が当該特定のキーに対応付けて登録されていなければ、情報処理装置を識別する識別情報を選択するための画面を表示するよう制御する制御工程と、
を有することを特徴とする画像読取装置の制御方法。
【請求項１５】
情報処理装置から発行される読み取り指示に従って画像を読み取り、読み取った画像データを前記情報処理装置に送信する画像読取装置を制御する画像読取装置の制御方法であって、
前記情報処理装置から、当該情報処理装置で設定された読み取りに関する設定を特定するための特定情報を受信する受信工程と、
前記受信工程で受信した前記特定情報と、前記特定情報を送信した情報処理装置を識別する識別情報とを特定のキーに対応付けて登録する登録工程と、
前記特定のキーの操作に応じて、当該特定のキーに対応付けて登録されている前記特定情報に従って前記識別情報が示す情報処理装置に読み取り指示の発行依頼を送信する送信工程と、
前記送信工程で送信された前記読み取り指示の発行依頼に応答して前記情報処理装置から送信される読み取り指示に従って画像を読み取り、当該画像から得られた画像データを前記情報処理装置に送信する画像送信工程と、
を有することを特徴とする画像読取装置の制御方法。
【請求項１６】
請求項１４又は１５記載の制御方法をコンピュータに実行させるためのコンピュータプログラム。
【手続補正２】
【補正対象書類名】明細書
【補正対象項目名】発明の名称
【補正方法】変更
【補正の内容】
【発明の名称】画像読取装置及びその制御方法とコンピュータプログラム
【手続補正３】
【補正対象書類名】明細書
【補正対象項目名】００４２
【補正方法】変更
【補正の内容】
【００４２】
７１３では、７１１，７１２において、ホストＰＣ名、プロファイル名、再分類、変換された項目名を複合機１０１に記憶する。７１４では、表示部１３５にホストＰＣ名やプロファイル名やプロファイルの設定内容を表示する。ここでは、７１３で記憶された内容を、表示部１３５の選択メニューで表示できるようメニュー画面を形成する。このとき、複合機１０１は表示部１３５に、図９に示す画面を表示する。図９の画面については後ほど複合機１０１での処理を説明する図８のフローチャートと共に説明する。
【手続補正４】
【補正対象書類名】明細書
【補正対象項目名】００４４
【補正方法】変更
【補正の内容】
【００４４】
７２３は、Pull Scanの発行依頼に応答して、ホストＰＣ１０３が複合機１０１に対してPull Scanの開始を通知するスキャン開始指示を示す。７１６では、複合機１０１は、７２３で指示された内容に基づいてスキャンを開始する。そして７２４で、７１６で原稿を読み取って得られた画像データをホストＰＣ１０３に送信する（画像送信）。７３４では、ホストＰＣ１０３は、７２４で送信された画像データを受信し、指定されたプロファイルのパラメタに基づいて画像処理を行う。また本実施形態では、保存先として、ホストＰＣ１０３のハードディスクのフォルダ６１１が指定されている。従って、７３５では、７３４で画像処理された画像データを、その指定されたフォルダに格納する。
【手続補正５】
【補正対象書類名】明細書
【補正対象項目名】００５０
【補正方法】変更
【補正の内容】
【００５０】
宛先指定画面９１０は、登録キー選択画面９００で、いずれかの選択肢が選択された場合に表示される画面例を示す。ここで「キー１の登録」９０１（例えば図４のショートカットキー４０６の最上位のキーに対応）が選択されているとする。９１１は、「宛先を指定しない」を選択する選択項目である。９１２は、宛先がＵＳＢＩ／Ｆ１４０に接続されたホストＰＣであることを指定する選択項目である。９１３には、図８のフローチャートで説明した手順でメインメモリ１００に保持されている情報の中で、ネットワークＩ／Ｆ１６０を介して接続されているホストＰＣ名が表示されている。ここでは「Host1」と「Host2」とが接続されている。